【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
宅内に設置されネットワークに接続された制御対象の機器を前記ネットワークを介して管理する携帯端末を備えた機器管理システムであって、
前記携帯端末は、
タッチパネル式の表示画面と、
前記ネットワークを介して前記機器との間で情報の通信を行う通信部と、
前記機器が設置される宅内の見取り図データと、前記機器を表わす機器アイコンデータと、前記表示画面に表示される前記機器のアイコンの位置を示す機器座標データとを記憶するメモリと、
前記表示画面に対するタッチ操作を検出した場合、前記見取り図データに基づいて前記表示画面上に見取り図を表示すると共に、前記機器アイコンデータに基づいて前記表示画面上に前記アイコンを表示する表示制御部と、
を備え、
前記表示制御部は、前記見取り図上に位置しない前記アイコンに対するドラッグ操作を検出した場合、ドラッグ操作に追従させるようにアイコンを移動させ、このアイコンのドラッグ操作が前記見取り図上で完了したとき、前記見取り図上に位置するアイコンの座標値に前記機器座標データを更新することを特徴とする機器管理システム。
【請求項２】
前記表示制御部は、前記タッチ操作を検出した場合、前記見取り図上に位置しない前記アイコンを前記見取り図と重ならない位置に表示し、このアイコンに対するドラッグ操作を検出した場合、ドラッグ操作に追従させるようにアイコンを移動させることを特徴とする請求項１に記載の機器管理システム。
【請求項３】
前記メモリには、前記機器から送信された機器動作状態データが記録され、
前記表示制御部は、前記見取り図上に移動されたアイコンに対応する機器の前記機器動作状態データに基づいて、この機器の動作状態情報をこのアイコンに対応付けて表示することを特徴とする請求項１または２に記載の機器管理システム。
【請求項４】
前記表示制御部は、前記動作状態情報のタッチ操作が行われたとき、前記機器の動作設定内容を変更する機器操作画面を前記見取り図に重畳して表示させることを特徴とする請求項３に記載の機器管理システム。
【請求項５】
前記表示画面に対するタッチ操作により動作設定内容が変更された機器を制御するデータを生成し、前記通信部を介して前記ネットワークに出力する機器制御部を備え、
前記機器が空調機である場合、
前記表示制御部は、空調機の室内機から吐き出される風の向きと風量を図形化したアイコンを前記表示画面上に表示し、ドラッグ操作に応じてこのアイコンの形状を変化させ、ドラッグ操作完了後のアイコンの座標値に基づいて前記機器動作状態データを更新し、
前記機器制御部は、この機器動作状態データに基づいて前記室内機から吐き出される風の向きと風量を制御することを特徴とする請求項３または４に記載の機器管理システム。
【請求項６】
宅内に設置されネットワークに接続された制御対象の機器を前記ネットワークを介して管理する携帯端末であって、
タッチパネル式の表示画面と、
前記ネットワークを介して前記機器との間で情報の通信を行う通信部と、
前記機器が設置される宅内の見取り図データと、前記機器を表わす機器アイコンデータと、前記表示画面に表示される前記機器のアイコンの位置を示す機器座標データとを記憶するメモリと、
前記表示画面に対するタッチ操作を検出した場合、前記見取り図データに基づいて前記表示画面上に見取り図を表示すると共に、前記機器アイコンデータに基づいて前記表示画面上に前記アイコンを表示する表示制御部と、
を備え、
前記表示制御部は、前記見取り図上に位置しない前記アイコンに対するドラッグ操作を検出した場合、ドラッグ操作に追従させるようにアイコンを移動させ、このアイコンのドラッグ操作が前記見取り図上で完了したとき、前記見取り図上に位置するアイコンの座標値に前記機器座標データを更新することを特徴とする携帯端末。
【請求項７】
前記表示制御部は、前記タッチ操作を検出した場合、前記見取り図上に位置しない前記アイコンを前記見取り図と重ならない位置に表示し、このアイコンに対するドラッグ操作を検出した場合、ドラッグ操作に追従させるようにアイコンを移動させることを特徴とする請求項６に記載の携帯端末。
【請求項８】
前記メモリには、前記機器から送信された機器動作状態データが記録され、
前記表示制御部は、前記見取り図上に移動されたアイコンに対応する機器の前記機器動作状態データに基づいて、この機器の動作状態情報をこのアイコンに対応付けて表示することを特徴とする請求項６または７に記載の携帯端末。
【請求項９】
前記表示制御部は、前記動作状態情報のタッチ操作が行われたとき、前記機器の動作設定内容を変更する機器操作画面を前記見取り図に重畳して表示させることを特徴とする請求項８に記載の携帯端末。
【請求項１０】
前記表示画面に対するタッチ操作により動作設定内容が変更された機器を制御するデータを生成し、前記通信部を介して前記ネットワークに出力する機器制御部を備え、
前記機器が空調機である場合、
前記表示制御部は、空調機の室内機から吐き出される風の向きと風量を図形化したアイコンを前記表示画面上に表示し、ドラッグ操作に応じてこのアイコンの形状を変化させ、ドラッグ操作完了後のアイコンの座標値に基づいて前記機器動作状態データを更新し、
前記機器制御部は、この機器動作状態データに基づいて前記室内機から吐き出される風の向きと風量を制御することを特徴とする請求項８または９に記載の携帯端末。
【手続補正２】
【補正対象書類名】明細書
【補正対象項目名】発明の名称
【補正方法】変更
【補正の内容】
【発明の名称】機器管理システムおよび携帯端末
【手続補正３】
【補正対象書類名】明細書
【補正対象項目名】０００１
【補正方法】変更
【補正の内容】
【０００１】
本発明は、端末装置の表示画面に宅内の電子機器に関する情報を視覚化して表示すると共に、この機器の動作を遠隔操作する機器管理システムおよび携帯端末に関するものである。
【手続補正４】
【補正対象書類名】明細書
【補正対象項目名】０００６
【補正方法】変更
【補正の内容】
【０００６】
本発明は、上記に鑑みてなされたものであって、携帯端末の画面上に表示される電子機器のアイコンの登録を容易化することにより、ユーザの利便性を向上させることができる機器管理システムおよび携帯端末を得ることを目的とする。
【手続補正５】
【補正対象書類名】明細書
【補正対象項目名】０００７
【補正方法】変更
【補正の内容】
【０００７】
上述した課題を解決し、目的を達成するために、本発明は、宅内に設置されネットワークに接続された制御対象の機器を前記ネットワークを介して管理する携帯端末を備えた機器管理システムであって、前記携帯端末は、タッチパネル式の表示画面と、前記ネットワークを介して前記機器との間で情報の通信を行う通信部と、前記機器が設置される宅内の見取り図データと、前記機器を表わす機器アイコンデータと、前記表示画面に表示される前記機器のアイコンの位置を示す機器座標データとを記憶するメモリと、前記表示画面に対するタッチ操作を検出した場合、前記見取り図データに基づいて前記表示画面上に見取り図を表示すると共に、前記機器アイコンデータに基づいて前記表示画面上に前記アイコンを表示する表示制御部と、を備え、前記表示制御部は、前記見取り図上に位置しない前記アイコンに対するドラッグ操作を検出した場合、ドラッグ操作に追従させるようにアイコンを移動させ、このアイコンのドラッグ操作が前記見取り図上で完了したとき、前記見取り図上に位置するアイコンの座標値に前記機器座標データを更新することを特徴とする。
【手続補正６】
【補正対象書類名】明細書
【補正対象項目名】００１０
【補正方法】変更
【補正の内容】
【００１０】
以下に、本発明に係る機器管理システムおよび携帯端末の実施の形態を図面に基づいて詳細に説明する。なお、この実施の形態によりこの発明が限定されるものではない。
【手続補正７】
【補正対象書類名】明細書
【補正対象項目名】００１７
【補正方法】変更
【補正の内容】
【００１７】
携帯端末６のメモリ６ａには、前述した機器機種情報データ１３、機器動作状態データ１４、および機器識別情報データ１５の他にも、見取り図データ１０、アイコンデータ１１、機器座標データ１２などが記録される。機器制御部６ｄは通信部６ｃを介して一定周期でサーバ１にアクセスして各種データの送信要求を行い、送信要求を受信したサーバ１の機器制御部１ｂはこの送信要求に応じた情報を携帯端末６に送信する。サーバ１から携帯端末６に送信される情報は、例えば見取り図データ１０、アイコンデータ１１、および機器座標データ１２などである。
【手続補正８】
【補正対象書類名】明細書
【補正対象項目名】００３０
【補正方法】変更
【補正の内容】
【００３０】
機器操作画面３３には電子機器４を操作するための様々な情報が表示され、図示例では、電子機器１の運転を開始または停止させるためのボタン、電子機器１の運転モードを選択するためのボタン、電子機器１の設定温度を調整するためのボタン、電子機器１の室内機から吐き出される風の向きや風速を調整するためのボタン、これらの設定内容を確定するための決定ボタン１７などが表示される。